(57)【特許請求の範囲】
【請求項１】
壁体の側面に縦枠を壁体と一体化するように予め固定し、
隣接する壁体の縦枠間に無目を取付け、
横方向よりも縦方向に長い形状のパネルを前記無目上にセッティングブロックを介して横移動自在に載置し、
該パネルの両側面と左右の壁体の縦枠との間に、該パネルを縦枠に対して上下動自在に保持する保持部材を介在させた
ことを特徴とするカーテンウォール。
【請求項２】
壁体の側面に縦枠を壁体と一体化するように予め固定し、
隣接する壁体の縦枠間に無目を取付け、
前記無目の長手方向のほぼ中央部にセッティングブロックを設置し、該セッティングブロック上に、横方向よりも縦方向に長い形状のパネルを横移動自在に載置し、
該パネルの両側面と左右の壁体の縦枠との間に、パネルを縦枠に対して上下動自在に保持する保持部材を介在させた
ことを特徴とするカーテンウォール。
【発明の詳細な説明】
【０００１】
【発明の属する技術分野】
本発明はカーテンウォールに係り、より詳しくは、壁体の左右に縦枠を固定してなり、隣接する縦枠間に狭幅のパネルを取付けてなるものに関する。
【０００２】
【従来の技術】
カーテンウォールは、通常、図９（Ａ）に示すように、矩形の壁体６０のコーナー部を、方立等の躯体（図示せず）に取付けたブラケット６２に多少の上下左右の動きが可能となる軟構造によって結合して壁体６０を支持し、壁体６０間は弾性のあるシーリング材６４によってシールして壁体６０間の相対移動を許容し、これにより、地震の際における上下隣接階における相対的な横移動（層間移動）に対応できるようにしている。
【０００３】
【発明が解決しようとする課題】
上述した従来構造のカーテンウォールにおいては、図９（Ｂ）に示すように、例えば石調でなる矩形の壁体６０の間に狭幅の例えばガラスからなる縦長のパネル６６を介在させて異なる外観のものを得ようとする場合、相対変位の大きい壁体６０の側面部間に壁体６６を介在させるため、シーリング材６４の弾性変形の許容範囲内で壁体６６の変位が収まるように取付けるためには、壁体６６の周囲のシーリング材６４の幅ｔ１が、壁体６６の幅ｔ２に対して相対的に非常に大きいものとなり、不経済になるという問題点がある。
【０００４】
本発明は、上記問題点に鑑み、狭幅で縦長のパネルを壁体間に介在させてカーテンウォールを構成する場合、層間変位を簡単な構造で吸収できるカーテンウォールを提供することを目的とする。
【０００５】
【課題を解決するための手段】
本発明は、上記目的を達成するため、壁体の側面に縦枠を壁体と一体化するように予め固定し、隣接する壁体の縦枠間に無目を取付け、横方向よりも縦方向に長い形状のパネルを前記無目上にセッティングブロックを介して横移動自在に載置し、狭幅のパネルの両側面と左右の壁体の縦枠との間に、狭幅のパネルを縦枠に対して上下動自在に保持させる保持部材を介在させたことを特徴とする（請求項１）。
【０００６】
また、本発明は、前記無目の長手方向のほぼ中央部にセッティングブロックを設置し、該セッティングブロック上に、横方向よりも縦方向に長い形状のパネルを横移動自在に載置したことを特徴とする（請求項２）。
【０００７】
【作用】
請求項１においては、層間移動により縦枠、無目が傾斜すると、横方向よりも縦方向に長い狭幅のパネルの側面部は、縦枠に対し、保持部材を介して上下方向に相対的に移動する。このように、狭幅のパネルを縦枠に対して相対移動可能としたことにより、シーリング材を用いた場合のように、弾性変形を許容する幅のシーリング材を確保する必要がなくなり、縦枠と狭幅のパネルとの間のシーリング材を小サイズのものとすることができ、もって縦枠を小サイズとすることができる。
【０００８】
請求項２においては、層間移動により狭幅のパネルが傾斜した時のパネルの盛り上がり量が小さくなり、その分だけ縦枠とパネルとの間の相対的な上下動が少なくなり、パネルの上部に設けるクリアランスを小さくすることができる。
【０００９】
【発明の実施の形態】
図１（Ａ）は本発明によるカーテンウォールを一実施例の基本構成を示す図、図１（Ｂ）はその作用説明図、図２（Ａ）、（Ｂ）、（Ｃ）はそれぞれ本実施例のカーテンウォールを室外側から見た図、縦断面図および横断面図、図３は図２（Ｂ）の要部拡大図、図４（Ａ）は該カーテンウォールの取付構造を示す縦断面図、図４（Ｂ）は（Ａ）のＥ−Ｅ断面図、図５は図２（Ｃ）の要部拡大図である。
【００１０】
図２において、１〜３は壁体であり、これらの壁体１〜３は鉄骨コンクリート建物のコーナー部に設けられるものである。４は壁体１、２間に設けられる横方向よりも縦方向に長い狭幅のパネルであり、本実施例はガラスパネルでなる。
【００１１】
図３に示すように、壁体１〜３は、鉄筋コンクリート成形体でなり、室外側および側面を石材６により覆ったものである。また、壁体１、２どうしが対面する側面部には、狭幅のパネル４を取付けるためのアルミニウム合金製押出形材でなる縦枠７が、予め壁体１、２と一体化するように固定される。
【００１２】
図２（Ｂ）、（Ｃ）、図４（Ａ）に示すように、各壁体１〜３の室内側の面の上部は左右２箇所において鉄骨柱８または鉄骨ビームでなる梁９に取付装置１０により取付けられ、壁体１〜３の上下端部はそれぞれ上方、下方に隣接する壁体１〜３に連結装置１１により連結される。
【００１３】
取付装置１０は、図４（Ａ）において壁体１で代表させて示すように、床材１２を支持する梁９に室外側に突出したブラケット１３を固着し、該ブラケット１３の上面に、上方に突出した取付板１４を固着し、該取付板１４に縦長の長孔１４ａを設け、一方、壁体１には、基端部を埋設した金具１５を室内側に突出させて設け、該金具１５に上下に貫通して設けたねじ孔に調整ボルト１６を螺合し、該金具１５に室内側に突出するねじ１７を固着してなるものであり、該ねじ１７を前記取付板１４の長孔１４ａに挿通し、取付板１４のねじ孔に螺合した調整ボルト１６を調整して壁体１の高さを調整し、金具１５と一体のねじ１７に螺合するねじ１８をワッシャ１９を介して取付板１４に対して適度に締め付けた状態で固定することにより、地震の際には壁体１〜３が梁９や柱８等の躯体に対して相対上下動が可能となるように、梁９に取付ける。
【００１４】
一方、壁体１の上下端間を連結する連結装置１１は、壁体１の下端部に室内側に突出させて設けたねじ２０と、壁体１の下端部の室内側の面に壁体１に一体に設けた受板２１と、壁体１の上端部に室内側において上方に突出させて設けられ、上下に長い長孔２２ａを有する連結板２２と、連結板２２に設けたねじ孔に螺合した調整ボルト２３とからなり、調整ボルト２３を調整してその先端を受板２１に当接させることにより、上下の壁体１、１の室外側面を垂直にして合わせ、ねじ２０に螺合するナット２４をワッシャ２５を介して適度に締めて固定することによって、地震の際には上下の壁体１〜３間の相対上下動が可能となるように、ねじ２０を連結板２２に固定するものである。
【００１５】
図３、図６において、２７は無目であり、該無目２７は、水平断面がコ字形をなす縦枠７の溝７ａ（図５参照）の底部に取付金具２８およびボルト２９を介して取付けたＬ字形の支持金具３０に載せ、かつ無目２７の両端部を縦枠７内に嵌め込むことによって取付けられる。本例においては、１組の壁体１、２に当たり２本の無目２７を壁体１、２の上部と中間部間に架設する例を示している。
【００１６】
ガラスパネルでなる狭幅のパネル４は、例えば２０ｃｍ程度の幅を有するものであり、図１、図３に示すように、無目２７の上面の溝２７ａ内の複数箇所に固定したセッティングブロック３１上に該パネル４を横移動自在に載せ、かつスペーサ３２や気密材３３を室内外面に配して取付ける。
【００１７】
また、図５に示すように、左右の縦枠７の室内側には、ねじ３４により押縁３５を固定し、該押縁３５には、図７（Ａ）の平面図と、図７（Ａ）のＦ矢視図である図７（Ｂ）に示すように、支持片３５ａに保持部材３６の背面を当接させてパネル４の側面部保持用の保持部材３６をねじ３７により固定する。
【００１８】
該保持部材３６は、パネル４との相対移動を容易にするために滑りやすい摩擦係数の小さな例えばナイロン樹脂等の硬質樹脂成形体からなるものであり、図７（Ａ）に示すように、パネル４との間に隙間Ｇが生じるように配設される。図７（Ｂ）に示すように、該保持部材３６のパネル４側当接面３６ａは弧状をなし、これにより、層間移動よりパネル４が２点鎖線で示すように傾斜しても、常に平滑な面で当接して円滑な相対移動ができ、しかも左右の保持部材３６、３６間の間隔が傾斜に係らず一定となるように構成している。
【００１９】
該パネル４の側面部および上面部は、図３、図５に示すように、それぞれスペーサ３９や気密材４０を室内外面に配して取付けられる。図３に示すように、無目２７の下面には、パネル４の上端との間にクリアランスｇが形成されるようにパネル４の上端部をのみ込んだ溝２７ｂが形成される。図３、図５において、４１はパネル４を縦枠７および無目２７により囲まれた空間に取付けた後にパネル４の４周に施工するシーリング材、４２は壁体１、１間に施工されるシーリング材、４３はパネル４の室内側の面を塞ぐように、床材１２に近接した箇所に設けられる耐火ボードである。
【００２０】
このカーテンウォールは、図１（Ｂ）に示すように、地震により層間移動が生じて矢印に示すような壁体１、２およびパネル４間が相対的に移動した場合、図４に示した取付装置１０と連結装置１１における長孔１４ａ、２２ａとボルト１７、２０、ナット１８、２４による上下動を許容する軟構造により、層間移動によって縦枠７および無目２７が傾斜すると、狭幅のパネル４の側面部は、縦枠７に対し、保持部材３６を介して上下方向に相対的に移動する。このように、狭幅のパネル４を縦枠７に対して相対移動可能としたことにより、シーリング材を用いた場合のように、弾性変形を許容する幅のシーリング材を確保する必要がなくなり、縦枠と狭幅のパネルとの間のシーリング材を小サイズなものとすることができる。
【００２１】
図８は本発明の他の実施例を層間移動における状態について原理的に示したものであり、本実施例は、無目２７の溝２７ａの長手方向のほぼ中央部にセッティングブロック３１を設置して該セッティングブロック３１上に狭幅のパネル４を載置したものである。
【００２２】
図８の実施例においては、層間移動により狭幅のパネル４が傾斜した時のパネル４の盛り上がり量が小さくなり、その分だけ縦枠７とパネル４との間の相対的な上下動が少なくなり、壁体の上部に設けるクリアランスｇ（図３参照）を小さくすることができ、その結果、無目２７のサイズを小さくすることができる。
【００２３】
本発明を実施する場合、壁体１〜３としてはＡＬＣ板等、他の壁体を用いることができ、パネル４としてもガラスパネル以外の他のパネルを用いることができる。その他、壁体１〜３、パネル４、縦枠７、セッティングブロック３１、保持部材３６等の具体的構造やこれらの組み合わせ等について、本発明の要旨を逸脱しない範囲において、種々に変更可能である。
【００２４】
【発明の効果】
請求項１によれば、壁体の側面に縦枠を予め一体化するように固定し、隣接する壁体の縦枠間に無目を取付け、横方向よりも縦方向に長い形状の狭幅のパネルを前記無目上にセッティングブロックを介して横移動自在に載置し、該狭幅のパネルの両側面と左右の壁体の縦枠との間に、該狭幅のパネルを縦枠に対して上下動自在に保持する保持部材を介在させたので、層間変位を簡単な構造で吸収できる。
【００２５】
請求項２によれば、無目の長手方向のほぼ中央部にセッティングブロックを設置して該セッティングブロック上に狭幅のパネルを載置したので、層間移動により狭幅のパネルが傾斜した時の壁体の盛り上がり量が小さくなり、その分だけ縦枠と壁体との間の相対的な上下移動量が少なくなり、より効率良く層間変位を吸収できる。
【図面の簡単な説明】
【図１】（Ａ）は本発明によるカーテンウォールの一実施例を室外側から見た概略図、（Ｂ）はその作用説明図である。
【図２】（Ａ）、（Ｂ）、（Ｃ）はそれぞれ本実施例のカーテンウォールを室外側から見た図、縦断面図および横断面図である。
【図３】図２（Ｂ）の要部拡大図である。
【図４】（Ａ）は本実施例におけるカーテンウォールの取付構造を示す縦断面図、（Ｂ）は（Ａ）のＥ−Ｅ断面図である。
【図５】図２（Ｃ）の要部拡大図である。
【図６】本実施例の無目の取付構造を示す縦断面図である。
【図７】（Ａ）は本実施例の保持部材の取付構造を示す平面図、（Ｂ）の（Ａ）のＦ矢視図である。
【図８】本発明の他の実施例を層間移動状態で室外側より見た概略図である。
【図９】（Ａ）は従来のカーテンウォールを室外側から見た概略図、（Ｂ）は従来構造を採用し、通常の壁体間に狭幅のパネルを介在させた場合の問題点を説明する図である。
【符号の説明】
１〜３：壁体、４：パネル、６：石材、７：縦枠、８：柱、９：梁、１０：取付装置、１１：連結装置、１２：床材、２７：無目、３１：セッティングブロック、３６：保持部材
【図１】
0003673607.tif 000002
【図２】
0003673607.tif 000003
【図３】
0003673607.tif 000004
【図４】
0003673607.tif 000005
【図５】
0003673607.tif 000006
【図６】
0003673607.tif 000007
【図７】
0003673607.tif 000008
【図８】
0003673607.tif 000009
【図９】
0003673607.tif 000010